(57)【特許請求の範囲】
【請求項１】
情報処理装置であって、
第１面及び第２面を有し、前記第１面には表示ユニットが設けられ、前記第２面には開口が形成されている本体と、
前記本体の開口に着脱可能なカバーと、
前記カバーが前記本体の開口から外されているときに、前記本体の開口を覆うように前記第２面に着脱可能に取り付けられる外付けユニットとを備え、
前記外付けユニットは、電子回路が内蔵されたカードと、前記カードを保持するシールドケースと、前記カードが収容されるケースと、前記本体内の電子回路に前記カードの電子回路を電気的に接続するためのコネクタとを有し、
前記外付けユニットが取り付けられた前記情報処理装置の使用態様において、前記第１面は上面であり、前記第２面は下面であり、
前記コネクタは、コネクタ基板に設けられ、
前記外付けユニットが取り付けられた前記情報処理装置の使用態様において、下から、前記ケース、前記シールドケース及び前記コネクタ基板の順に配置され、前記コネクタ基板は、前記シールドケース及び前記ケースに取り付けられ、
前記シールドケースは、前記ケースに取り付けられ、
前記カードは、前記シールドケースにより保持されて、前記ケースに収納され、
前記カードは前記情報処理装置をネットワークに接続するための無線装置であり、
前記無線装置はアンテナが収容された突部を有し、前記ケースの突部に前記無線装置の突部が着座し、
前記本体は前記開口内に前記カードとは異なる第２カードを収容するためのスロットを備え、
前記外付けユニットのケースは、その側部に設けられ、前記外付けユニットが前記本体に取り付けられたときに前記スロットを前記本体の側部から塞ぐプレートを有する情報処理装置。
【請求項２】
前記本体の第２面から突出するように設けられた電池パックを更に備え、
前記本体の第２面に取り付けられた前記外付けユニットの最も厚みの厚い部分と前記電池パックの突出部分とは略等しい高さである請求項１に記載の情報処理装置。
【請求項３】
前記電池パックは前記情報処理装置を操作する操作者に対して奥側となる前記本体の位置に設けられている請求項２に記載の情報処理装置。
【請求項４】
第１面及び第２面を有し、前記第１面には表示ユニットが設けられ、前記第２面には開口が形成されている本体を有する情報処理装置に適用される外付けユニットであって、
電子回路が内蔵されたカードと、前記カードを保持するシールドケースと、前記カードが収容されるケースと、前記本体内の電子回路に前記カードの電子回路を電気的に接続するためのコネクタとを備え、
前記外付けユニットが取り付けられた前記情報処理装置の使用態様において、前記第１面は上面であり、前記第２面は下面であり、
前記コネクタは、コネクタ基板に設けられ、
前記外付けユニットが取り付けられた前記情報処理装置の使用態様において、下から、前記ケース、前記シールドケース及び前記コネクタ基板の順に配置され、前記コネクタ基板は、前記シールドケース及び前記ケースに取り付けられ、
前記シールドケースは、前記ケースに取り付けられ、
前記カードは、前記シールドケースにより保持されて、前記ケースに収納され、
前記カードは前記情報処理装置をネットワークに接続するための無線装置であり、
前記無線装置はアンテナが収容された突部を有し、前記ケースの突部に前記無線装置の突部が着座し、
前記本体は前記開口内に前記カードとは異なる第２カードを収容するためのスロットを備え、
前記外付けユニットのケースは、その側部に設けられ、前記外付けユニットが前記本体に取り付けられたときに前記スロットを前記本体の側部から塞ぐプレートを有する外付けユニット。
【請求項５】
前記ケースは前記無線装置のアンテナと外部との電磁波の送受信が可能になるように樹脂から形成されている請求項１乃至３のいずれか１項に記載の情報処理装置又は請求項４記載の外付けユニット。
【請求項６】
前記外付けユニットのコネクタは前記スロットのコネクタに適合する請求項５に記載の情報処理装置又は外付けユニット。
【請求項７】
前記第２面には、内部から外部方向に突出し、前記本体における接地電位である弾性変形可能な板ばね接点が設けられ、前記板ばね接点が前記外付けユニットのグラウンドと接続される請求項１、２、３、５、６のいずれか１項に記載の情報処理装置又は請求項４乃至６のいずれか１項に記載の外付けユニット。
【発明の詳細な説明】
【０００１】
【発明の属する技術分野】
本発明は情報処理装置及び情報処理装置に適用可能な外付けユニットに関する。
【０００２】
【従来の技術】
近年、携帯に適する情報処理装置として、入力手段を兼ねた表示ユニットを有するものが知られている。例えば、スタイラス（尖筆）を用いて入力を行なうことができる情報処理装置においては、表示ユニットの表面に透明なタッチパネルが設けられており、スタイラスの先端をタッチパネルに接触させることによって、入力が行なわれ、或いは付加的に使用されるキーボードの入力が補助される。
【０００３】
この種の情報処理装置においては、一般的に、拡張性が考慮される。例えば、ノート型パーソナルコンピュータにおいては、筐体の側面等にスロットが設けられており、そこにＰＣカードを挿入することによって、記憶容量を増大したりネットワークとの接続を容易にしたりしている。
【０００４】
ここで、ＰＣカードというのは、米国のＰＣＭＣＩＡ（ＰＥＲＳＯＮＡＬ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）と日本電子工業振興協会（ＪＥＩＤＡ）が共同で企画した「ＰＣ  Ｃａｒｄ  Ｓｔａｎｄａｒｄ」に準拠したクレジットカードサイズの周辺機器の総称である。
【０００５】
なお、デスクトップ型のパーソナルコンピュータにあっても、ＰＣカードに対応した機種がある。
【０００６】
ＰＣカードの種類としては、ＳＲＡＭ、フラッシュメモリ、ハードディスク等の記憶装置、モデム、ＳＣＳＩ、ＬＡＮカードなどがある。
【０００７】
ＰＣカードには、厚みの異なる三つの種類がある。第１は３．３ミリ厚で主にメモリカードに使われている。第２は５ミリ厚で、モデムを初めとする多くの種類において用いられている。第３は１０．５ミリ厚で、ハードディスクなどで採用される。
【０００８】
一方、更なる小型化に適した拡張用のカードとして、ＣＦ（コンパクトフラッシュ）カードが用いられることがある。例えば、デジタルカメラや携帯型パソコン、ＰＤＡ等において、フラッシュＡＴＡメモリカード互換のコンパクトなカードとして採用されている。そのサイズは４２．８×３６．４×３．３（ｍｍ3）であり、全サイズともにＰＣカードよりも短い。例えば、米国Ｓａｎ  Ｄｉｓｋ社より最大４８Ｍバイトの容量のカードが提供されている。
【０００９】
なお、最近においては、厚みが５ミリに拡大されたＣＦカードも用いられるようになっている。厚みが拡大したことにより、新たにＩ／Ｏ機能を追加してモデムやＬＡＮカード、ＳＣＳＩカード等に応用可能である。
【００１０】
【発明が解決しようとする課題】
ノート型パソコンをＬＡＮネットワークを介してインターネットに接続する場合、そのパソコンに設けられたＰＣカードスロットにワイヤレスＬＡＮモジュールを装着して、無線による接続が行なわれることがある。しかし、この場合、アンテナがパソコン本体から突出する形態で使用されるため、アンテナ或いはカード自身の破損の危険性がある。
【００１１】
ワイヤレスＬＡＮモジュールをパソコンの内蔵オプションとして設定しておくことが考えられるが、この場合、オプションの組替えが容易ではない。
【００１２】
さらに、ＵＳＢ接続によるワイヤレスＬＡＮモジュールも市場に出回っているが、コネクタが独自のものであり汎用性に欠ける。
【００１３】
よって、本発明の目的は、着脱可能なモジュールを有する情報処理装置において、汎用性を高め、破損の危険性を回避することである。
【００１４】
【課題を解決するための手段】
本発明によると、情報処理装置であって、第１面及び第２面を有し、前記第１面には表示ユニットが設けられ、前記第２面には開口が形成されている本体と、前記本体の開口に着脱可能なカバーと、前記カバーが前記本体の開口から外されているときに、前記本体の開口を覆うように前記第２面に着脱可能に取り付けられる外付けユニットとを備え、前記外付けユニットは、電子回路が内蔵されたカードと、前記カードを保持するシールドケースと、前記カードが収容されるケースと、前記本体内の電子回路に前記カードの電子回路を電気的に接続するためのコネクタとを有し、前記外付けユニットが取り付けられた前記情報処理装置の使用態様において、前記第１面は上面であり、前記第２面は下面であり、前記コネクタは、コネクタ基板に設けられ、前記外付けユニットが取り付けられた前記情報処理装置の使用態様において、下から、前記ケース、前記シールドケース及び前記コネクタ基板の順に配置され、前記コネクタ基板は、前記シールドケース及び前記ケースに取り付けられ、前記シールドケースは、前記ケースに取り付けられ、前記カードは、前記シールドケースにより保持されて、前記ケースに収納され、前記カードは前記情報処理装置をネットワークに接続するための無線装置であり、前記無線装置はアンテナが収容された突部を有し、前記ケースの突部に前記無線装置の突部が着座し、前記本体は前記開口内に前記カードとは異なる第２カードを収容するためのスロットを備え、前記外付けユニットのケースは、その側部に設けられ、前記外付けユニットが前記本体に取り付けられたときに前記スロットを前記本体の側部から塞ぐプレートを有する情報処理装置が提供される。
【００１５】
この構成によると、特定の形態を有する外付けユニットを採用しているので、後述する原理に従って、本発明の目的が達成される。
【００１６】
本発明の他の側面によると、第１面及び第２面を有し、前記第１面には表示ユニットが設けられ、前記第２面には開口が形成されている本体を有する情報処理装置に適用される外付けユニットであって、電子回路が内蔵されたカードと、前記カードを保持するシールドケースと、前記カードが収容されるケースと、前記本体内の電子回路に前記カードの電子回路を電気的に接続するためのコネクタとを備え、前記外付けユニットが取り付けられた前記情報処理装置の使用態様において、前記第１面は上面であり、前記第２面は下面であり、前記コネクタは、コネクタ基板に設けられ、前記外付けユニットが取り付けられた前記情報処理装置の使用態様において、下から、前記ケース、前記シールドケース及び前記コネクタ基板の順に配置され、前記コネクタ基板は、前記シールドケース及び前記ケースに取り付けられ、前記シールドケースは、前記ケースに取り付けられ、前記カードは、前記シールドケースにより保持されて、前記ケースに収納され、前記カードは前記情報処理装置をネットワークに接続するための無線装置であり、前記無線装置はアンテナが収容された突部を有し、前記ケースの突部に前記無線装置の突部が着座し、前記本体は前記開口内に前記カードとは異なる第２カードを収容するためのスロットを備え、前記外付けユニットのケースは、その側部に設けられ、前記外付けユニットが前記本体に取り付けられたときに前記スロットを前記本体の側部から塞ぐプレートを有する外付けユニットが提供される。
【００１７】
【発明の実施の形態】
以下、添付図面を参照して、本発明の望ましい実施形態を詳細に説明する。
【００１８】
図１は本発明を適用可能な情報処理装置としてのノート型パソコンを上側から見た斜視図、図２は同下側から見た斜視図である。この装置は、下側ハウジング４及び上側ハウジング６からなる本体２を有している。下側ハウジング４の側面には、電話回線に接続するためのモジュラーソケット８と、周辺機器との接続を行なうためのＵＳＢ対応ソケット１０と、ＰＣカードを挿入するＰＣカードスロット１２と、ＣＦカードを挿入するＣＦカードスロット１４と、電源供給用のソケット１６とが設けられている。また、上側ハウジング６には、スタイラスペン等による入力装置を兼ねた表示ユニット１８と、各種の動作状態を表示するためのＬＣＤ２０とが設けられている。
【００１９】
図２に良く示されるように、下側ハウジング４には、ＣＦカードスロット１４のためのカバー２２がネジ２４により固定されており、また、操作者から見て奥側には電池パック２６が着脱可能に設けられている。電池パック２６は容量等の観点から、下側ハウジング４から突出している。
【００２０】
図３を参照すると、図２に示されるカバー２２を取り去った状態が示されている。ＣＦカードスロット１４内には、ＣＦカードを挿入したときに、ＣＦカードと内部回路との電気的な接続を行なうためのコネクタ２８が設けられている。また、ＣＦカードスロット１４の奥側には、この実施形態で特徴的なコネクタ３０が設けられている。ＣＦカードスロット１４（及びその付帯物であるコネクタ２８）とコネクタ３０とは択一的に設けられていても良いし、両方設けられていても良い。
【００２１】
図４は本発明による情報処理装置の実施形態を示す上側から見た斜視図、図５は同下から見た斜視図である。この装置は、図３に示されるようにカバー２２（図２参照）を取り外した状態で、カードスロット１４及びその近傍に開いた開口を覆うように外付けユニット３２を下側ハウジング４に装着したものである。
【００２２】
図６の（Ａ）及び図７の（Ａ）は外付けユニット３２を上側から見た斜視図、図６の（Ｂ）及び図７の（Ｂ）は同下から見た斜視図である。また、図８乃至図１１は外付けユニット３２の分解斜視図である。
【００２３】
外付けユニット３２は、図８及び図９に良く示されるように、ＰＣカード３４をシールドケース３６及びコネクタ基板３８により樹脂等からなるカバー４０に装着して構成される。コネクタ基板３８は、電気的配線に供されるプリント配線板４１と、プリント配線板４１の端部に接続されたフレキシブルプリント配線板４２と、フレキシブルプリント配線板４２の先端近傍に設けられたコネクタ４４とからなる。コネクタ基板３８はネジ４６によりシールドケース３６に取りつけられ、シールドケース３６により保持される形でＰＣカード３４はケース４０内に収納される。コネクタ基板３８はネジ４８によりケース４０に取りつけられる。
【００２４】
ＰＣカード３４は例えばワイヤレスＬＡＮモジュールである。この場合、ＰＣカード３４のアンテナ対応部分は肉厚になるので、それに対応してケース４０にはＰＣカード３４のアンテナ部分が着座する突部（内側から見ると凹部）５０が形成されている。また、ケース４０の側部にはプレート５２が隆起しており、これにより、外付けユニット３２を例えば図５に示されるように下側ケース４に装着したときに、ＣＦカードスロット１４が塞がれるようになっている。また、ケース４０の突部５０と反対側には爪５３が隆起しており、これを下側ハウジング４に設けられた開口に装着することによって、外付けユニット３２の着脱動作を容易にしている。
【００２５】
図１２の（Ａ）は外付けユニット３２を下側ハウジング４に装着する方法を説明するための分解斜視図、図１２の（Ｂ）は図１２の（Ａ）で符号６０で示される部分の拡大図である。
【００２６】
この実施形態では、ＣＦカードスロット１４におけるカード収納部を取り去り、本体２の内部に設けられた主プリント配線板上にコネクタ３０を設けている。そして、外付けユニット３２のコネクタ４４をコネクタ３０に装着し、外付けユニット３２をネジ５４及び５６により下側ハウジング４に取りつける。ネジ５４はケース４０の肉厚部５０の両端にて下側ハウジング４のネジ穴５８に締結される。ネジ穴５８はバッテリーパック２６の延長上に位置している。また、ネジ５６はケース４０のプレート５２と反対側の側部にて下側ハウジング４に設けられたネジ穴６０に締結される。
【００２７】
この状態で、図５に示されるように、ケース４０の肉厚部５０はバッテリーパック２６と概ね同じ高さになるバッテリーパック２６は操作者から見て奥側の下部に形成されているので、バッテリーパック２６及び肉厚部５０を載置面上に置くことによって、表示ユニット１８（例えば図４参照）が操作者に向かって僅かに起きあがった形態が得られ、表示の確認及び入力作業が容易になる。
【００２８】
図１２の（Ｂ）に示されるように、下側ハウジング４の内部からは弾性変形可能な板バネ接点６２が突出している。板バネ接点６２は本体２における接地電位にある。外付けユニット３２を下側ハウジング４に取りつけたときに、外付けユニット３２のグランドパターン又はシールド部分に板バネ接点６２が弾性的に接触し、これにより外付けユニット３２におけるグランドが強化されている。
【００２９】
特に、この実施形態のように、外付けユニット３２がワイヤレスＬＡＮモジュールである場合、グランド電位の安定化がアンテナ性能を高める上で重要であるので、この実施形態はネットワークへの無線による高性能な接続を可能にする上で極めて有効である。
【００３０】
このように、本実施形態では、既存のＰＣカード３４に適合するように外付けユニット３２が構成されているので、既存のＰＣカードを利用して種々な機能を提供することができる。また、ＰＣカード３４がワイヤレスＬＡＮモジュールである場合に、ＰＣカード３４のアンテナ部分はケース４０内に収容されることとなり、従来のようにアンテナ部分が本体から飛び出すことによる破損の危険を防止することができる。
【００３１】
また、外付けユニット３２を用いることによって、その着脱は容易であるから、オプションの組換えを容易に行なうことができる。このように、本実施形態によると、汎用性に富んだ情報処理装置の提供が可能になる。
【００３２】
この実施形態では、ＣＦカードスロット１４に適用されるべきＣＦカードに代えて外付けユニット３２が用いられている。従って、ＰＣカード３４を有する外付けユニット３２により機能を拡張することができる他、図示しないＰＣカードをＰＣカードスロット１２に挿入することによって、更なる拡張性が得られる。
【００３３】
例えば、外付けユニット３２によるワイヤレスＬＡＮによりこの情報処理装置をネットワークに接続しながら、ＰＣカードスロット１２に挿入されたＦＬＡＳＨカードやＨＤＤカードにデータをダウンロードすることができる。
【００３４】
或いは、外付けユニット３２によるワイヤレスＬＡＮによりネットワークに接続しながら、ＰＣカードスロット１２に挿入されたＣＤ−ＲＯＭ／ＤＶＤ−ＲＯＭからデータをネットワーク上にアップロードすることができる。
【００３５】
或いは、外付けユニット３２によるワイヤレスＬＡＮでネットワークに接続しながら、ＰＣカードスロット１２に挿入されたＩＥＥＥ１３９４カード経由でデジタルビデオカメラ等からのデータをネットワーク上にアップロードすることができる。
【００３６】
さらには、外付けユニット３２によるワイヤレスＬＡＮでネットワークに接続しながら、セキュリティカード（Ｓｍａｒｔ  Ｃａｒｄ等）を利用することができる。
【００３７】
本発明は、外付けユニット３２がワイヤレスＬＡＮモジュールであることによては限定されない。例えば、ＦＬＡＳＨメモリカード、Ｂｌｕｅｔｏｏｔｈカード、ＰＨＳカード、Ｍｐｅｇデコーダカード等を用いて外付けユニットを構成し、これらのカードが有する機能をオプションとして提供することができ、汎用性に富んだ装置の提供が可能になる。
【００３８】
また、ＰＣカード３４をケース４０により下側ハウジング４に取りつけることにより、第三者からのＰＣカード３４への物理的なアクセスが困難になるので、カードの盗難防止が可能になる。さらに、一端締結したのちに弛むとそれが判別可能であるような特殊ネジを用いて外付けユニット３２を下側ハウジング４に取りつけることによって、第三者によるＰＣカード３４への物理的なアクセスの有無を容易に確認することができる。このことは、例えばＰＣカード３４としてフラッシュメモリカードを用いる場合に、データとしての顧客情報等の個人情報の漏洩を未然に防止することができる。
【００３９】
図１３を参照すると、本発明による情報処理装置の他の実施形態が示されている。ここでは、図１２の（Ａ）に示されるコネクタ４４に代えて、ＣＦカードスロット１４のコネクタ２８に適合するコネクタ４４´がフレキシブルプリント配線板４２の先端に取りつけられている。これにより本体２内部の構造を変更することなしに、外付けユニット３２に内蔵されたＰＣカード３４をＣＦカードスロット１４に適合させることができる。
【００４０】
参考までに、ＰＣカードのインタフェースとＣＦカードのインタフェースとの対応表を図５に挙げておく。ＰＣカードのコネクタピンの数は６８であるのに対して、ＣＦカードにおけるコネクタピンの数は５０であるが、ＰＣカードの全てのコネクタピンが用いられているわけではないので、本体２内部の電気回路の規模に影響を与えることなくＰＣカード３４をＣＦカードスロット１４に適合させることができる。
【００４１】
図１４を参照すると、本発明による情報処理装置の更に他の実施形態が示されている。ここでは、ＣＦカードスロット１４はそのまま残しておき、ＣＦスロットカードの信号と排他になるＰＣカードの信号を引き出すためのコネクタ３０をＣＦカードスロット１４のすぐ後方に設け、このコネクタ３０に外付けユニット３２のコネクタ４４を取り付けるようにしている。
【００４２】
この実施形態によっても、本体２の電気回路の規模に影響を与えることなく、ＰＣカード３４をＣＦカードスロット１４に適合させることができる。
【００４３】
特に、ＣＦカードとＰＣカードとが排他になる場合、ＣＦカードスロット１４に対するＣＦカードの誤挿入を防止する必要があるが、本実施形態では、外付けユニット３２のケース４０の側部にプレート５２が隆起しているので、外付けユニット３２を下側ハウジング４に装着したときに、ＣＦカードの誤挿入を防止することができる。
【００４４】
本発明は以下の付記を含むものである。
【００４５】
（付記１）  第１面及び第２面を有し、前記第１面には表示ユニットが設けられ、前期第２面には開口が形成されている本体と、
前記本体の開口を覆うように前記第２面に着脱可能に取り付けられた外付けユニットとを備え、
前記外付けユニットは、電子回路が内蔵されたカードと、前記カードが収容されるケースと、前記本体内の電子回路に前記カードの電子回路を電気的に接続するためのコネクタとを備えている情報処理装置。
【００４６】
（付記２）  前記カードは前記情報処理装置をネットワークに接続するための無線装置である付記１に記載の情報処理装置。
【００４７】
（付記３）  前記カバーは前記無線装置のアンテナと外部との電磁波の送受信が可能になるように樹脂から形成されている付記２に記載の情報処理装置。
【００４８】
（付記４）  前記本体の第２面から突出するように設けられた電池パックを更に備え、前記外付けユニットの最も厚みの厚い部分と前記電池パックの突出部分とは概ね同じ高さである付記１に記載の情報処理装置。
【００４９】
（付記５）  前記電池パックは操作者に対して奥側に設けられている付記４に記載の情報処理装置。
【００５０】
（付記６）  前記開口内には前記カードとは別のカードを収容するためのスロットが割り当てられており、前記外付けユニットのケースは、前記外付けユニットを前記本体に取り付けたときに前記スロットを塞ぐプレートを有している付記１に記載の情報処理装置。
【００５１】
（付記７）  前記外付けユニットのコネクタは前記スロットのコネクタに適合する付記６に記載の情報処理装置。
【００５２】
（付記８）  前記本体は前記カードとは別のカードを収容するためのスロットを有している付記１に記載の情報処理装置。
【００５３】
（付記９）  第１面及び第２面を有し、前記第１面には表示ユニットが設けられ、前期第２面には開口が形成されている本体を有する情報処理装置に適用される外付けユニットであって、
電子回路が内蔵されたカードと、前記カードが収容されるケースと、前記本体内の電子回路に前記カードの電子回路を電気的に接続するためのコネクタとを備え、
前記本体の開口を覆うように前記第２面に着脱可能に取り付けられて使用される外付けユニット。
【００５４】
【発明の効果】
以上説明したように、本発明によると、情報処理装置において、汎用性を高め、しかも各部の破損を未然に防止することが可能になるという効果が生じる。
【図面の簡単な説明】
【図１】図１は本発明を適用可能な情報処理装置を上側から見た斜視図である。
【図２】図２は本発明を適用可能な情報処理装置を下側から見た斜視図である。
【図３】図３は図２に示されるカバー２２を取り去った状態を示す斜視図である。
【図４】図４は本発明の実施形態による情報処理装置を上側から見た斜視図である。
【図５】図５は本発明の実施形態による情報処理装置を下側から見た斜視図である。
【図６】図６の（Ａ）及び（Ｂ）は本発明の実施形態による外付けユニットをそれぞれ上側及び下側から見た斜視図である。
【図７】図７の（Ａ）及び（Ｂ）は本発明の実施形態による外付けユニットをそれぞれ上側及び下側から見た斜視図である。
【図８】図８は本発明の実施形態による外付けユニットの分解斜視図である。
【図９】図９は本発明の実施形態による外付けユニットの分解斜視図である。
【図１０】図１０は本発明の実施形態による外付けユニットの分解斜視図である。
【図１１】図１１は本発明の実施形態による外付けユニットの分解斜視図である。
【図１２】図１２の（Ａ）は本発明の他の実施形態による情報処理装置の分解斜視図、図１２の（Ｂ）は図１２の（Ａ）に符号６０で示される部分の詳細図である。
【図１３】図１３は本発明の他の実施形態による情報処理装置の分解斜視図である。
【図１４】図１４は本発明の更に他の実施形態による情報処理装置の分解斜視図である。
【図１５】図１５はＰＣカードのインタフェースとＣＦカードのインタフェースとの対応を表にして示した図である。
【符号の説明】
２  本体
４  下側ハウジング
６  上側ハウジング
１２  ＰＣカードスロット
１４  ＣＦカードスロット
３２  外付けユニット
３４  ＰＣカード
３８  コネクタ基板
４０  カバー
【図１】
0004647158.tif 000002
【図２】
0004647158.tif 000003
【図３】
0004647158.tif 000004
【図４】
0004647158.tif 000005
【図５】
0004647158.tif 000006
【図６】
0004647158.tif 000007
【図７】
0004647158.tif 000008
【図８】
0004647158.tif 000009
【図９】
0004647158.tif 000010
【図１０】
0004647158.tif 000011
【図１１】
0004647158.tif 000012
【図１２】
0004647158.tif 000013
【図１３】
0004647158.tif 000014
【図１４】
0004647158.tif 000015
【図１５】
0004647158.tif 000016